(57)【要約】指または足等の皮膚に使用されるクッション装置は、皮膚側および外側を有するクッション層とクッション層の皮膚側に結合された超親水性感圧接着剤層とを備える。特定の実施形態では、超親水性感圧接着剤層はクッション層に直接接触していてもよい。特定の実施形態では、超親水性ＰＳＡは少なくとも約１５００グラム／ｍ２／２４時間、少なくとも約２０００グラム／ｍ２／２４時間、少なくとも約２５００グラム／ｍ２／２４時間、または少なくとも約３０００グラム／ｍ２／２４時間のＭＶＴＲを有する。
2011507620.tif 000002
【特許請求の範囲】
【請求項１】
皮膚側および外側を有するクッション層と、
前記クッション層の前記皮膚側に結合された超親水性感圧接着剤層と
を備える指または足に使用される医療用クッション装置。
【請求項２】
前記超親水性感圧接着剤層は前記クッション層に直接接触している請求項１記載のクッション装置。
【請求項３】
前記感圧接着剤は少なくとも約１５００グラム／ｍ２／２４時間の透湿性を有する請求項１記載のクッション装置。
【請求項４】
前記感圧接着剤は少なくとも約２０００グラム／ｍ２／２４時間の透湿性を有する請求項１記載のクッション装置。
【請求項５】
前記感圧接着剤は少なくとも約２５００グラム／ｍ２／２４時間の透湿性を有する請求項１記載のクッション装置。
【請求項６】
前記感圧接着剤は少なくとも約３０００グラム／ｍ２／２４時間の透湿性を有する請求項１記載のクッション装置。
【請求項７】
前記感圧接着剤は前記接着剤の重量で少なくとも約１％の吸湿度を有する請求項１記載のクッション装置。
【請求項８】
前記感圧接着剤は前記接着剤の重量で少なくとも約１．５％の吸湿度を有する請求項１記載のクッション装置。
【請求項９】
前記感圧接着剤は前記接着剤の重量で少なくとも約２％の吸湿度を有する請求項１記載のクッション装置。
【請求項１０】
前記感圧接着剤は前記接着剤の重量で少なくとも約２．５％の吸湿度を有する請求項１記載のクッション装置。
【請求項１１】
前記接着剤はアクリル系感圧接着剤である請求項１記載のクッション装置。
【請求項１２】
前記接着剤はアクリル−ゴム混成接着剤である請求項１記載のクッション装置。
【請求項１３】
前記クッション装置は、指用クッション、手用クッション、つま先用クッションおよび足用クッションからなる群から選択される請求項１記載のクッション装置。
【請求項１４】
前記クッション装置は、魚の目用クッション、腱膜瘤用クッション、たこ用クッションおよび足底疣贅用クッションからなる群から選択された足用クッションを備える請求項１３記載のクッション装置。
【請求項１５】
前記クッション層の前記皮膚側に結合された薬用層
をさらに備える請求項１記載のクッション装置。
【請求項１６】
前記薬用層は前記クッション層と前記接着剤層との間にあり、前記薬用層内の薬剤は前記装置が貼り付けられたときに前記接着剤層を通過して前記皮膚に到達するように構成されている請求項１５記載のクッション装置。
【請求項１７】
前記接着剤層は前記クッション層と前記薬用層との間にあり、前記装置が貼り付けられたときに前記薬用層の外周の外側に広がる前記接着剤が前記皮膚に接触するように前記接着剤層は前記薬用層の前記外周の外側に広がる請求項１５記載のクッション装置。
【請求項１８】
前記薬用層は角質溶解薬をさらに含む請求項１５記載のクッション装置。
【請求項１９】
前記角質溶解薬はサリチル酸をさらに含む請求項１８記載のクッション装置。
【請求項２０】
前記超親水性感圧接着剤はＤＵＲＯ−ＴＡＫ（登録商標）８７−２０２Ａである請求項１記載のクッション装置。
【請求項２１】
前記超親水性感圧接着剤はＤＵＲＯ−ＴＡＫ（登録商標）８０−２２２Ａである請求項１記載のクッション装置。
【請求項２２】
前記クッション層は発泡合成ゴム、綿織布、合成繊維、編地、シリコーンゲルクッション材、ポリウレタンゲルクッション材、ポリウレタンフィルム、ポリ塩化ビニルフィルムおよび合成不織布からなる群から選択される請求項１記載の装置。
【請求項２３】
前記薬用層の上方に位置付けられた障壁層をさらに備える請求項１記載の装置。
【請求項２４】
別の材料層が前記クッション層の前記皮膚側に加えられてもよい請求項１記載の装置。
【請求項２５】
皮膚側および外側を有する薬用層と、
前記薬用層の前記皮膚側に結合された超親水性感圧接着剤層と
を備える指、手、つま先または足に使用される医療用装置。
【請求項２６】
前記薬用層の前記外側に結合された被覆層
をさらに備える請求項２５記載の装置。
【請求項２７】
前記薬用層の前記外側に結合されたクッション層
をさらに備える請求項２５記載の医療用装置。
【請求項２８】
前記薬用層は角質溶解薬をさらに含む請求項２５記載の装置。
【請求項２９】
前記角質溶解薬はサリチル酸をさらに含む請求項２８記載のクッション装置。
【請求項３０】
角化性病変治療用医療用装置であって、
前記角化性病変を含む前記皮膚の領域にクッション性を与えるクッション手段と、
前記クッション手段と結合しており、角化性病変の治療用薬剤を送達する薬剤手段と、
前記クッション手段と前記薬剤手段に結合された超親水性感圧接着剤と
を備える角化性病変治療用医療用装置。
【請求項３１】
前記薬剤手段は角質溶解薬をさらに含む請求項３０記載の医療用装置。
【請求項３２】
前記角質溶解薬はサリチル酸をさらに含む請求項３１記載のクッション装置。
【請求項３３】
前記サリチル酸は前記薬剤手段内で薬剤材料の重量で約４０％である請求項３２記載の医療用装置。
【請求項３４】
前記角化性病変は魚の目またはたこである請求項３０記載の医療用装置。
【請求項３５】
前記角化性病変は足底疣贅である請求項３０記載の医療用装置。
【請求項３６】
前記クッション層は円盤、帯または包帯状である請求項３０記載の医療用装置。
【請求項３７】
医療用装置を該装置の皮膚側にある超親水性感圧接着剤を使用して指または足の皮膚の領域に貼り付けるステップ
を含む皮膚病治療方法。
【請求項３８】
前記皮膚病はハイパーケロティック（ｈｙｐｅｒｋｅｒｏｔｉｃ）皮膚状態であり、前記医療用装置は角質溶解薬を含む請求項３７記載の方法。
【請求項３９】
前記角質溶解薬はサリチル酸である請求項３８記載の方法。
【請求項４０】
前記医療用装置の前記接着剤部内の超親水性組成物を使用して前記医療用装置内の水分を吸収することによって、前記領域での前記角質層の水和を減少させるステップ
をさらに含む請求項３７記載の方法。
【請求項４１】
少なくとも１５００グラム／ｍ２／２４時間の、前記装置の前記接着剤層を介した平均水蒸気移動を与えることにより前記領域での前記角質層の水和を減少させるステップ
をさらに含む請求項３７記載の方法。
【請求項４２】
少なくとも２０００グラム／ｍ２／２４時間の、前記装置の前記接着剤層を介した平均水蒸気移動を与えることにより前記領域での前記角質層の水和を減少させるステップ
をさらに含む請求項３７記載の方法。
【請求項４３】
少なくとも２５００グラム／ｍ２／２４時間の、前記装置の前記接着剤層を介した平均水蒸気移動を与えることにより前記領域での前記角質層の水和を減少させるステップ
をさらに含む請求項３７記載の方法。
【請求項４４】
少なくとも３０００グラム／ｍ２／２４時間の、前記装置の前記接着剤層を介した平均水蒸気移動を与えることにより前記領域での前記角質層の水和を減少させるステップ
をさらに含む請求項３７記載の方法。
【請求項４５】
前記接着剤の重量で少なくとも約１％の前記接着剤層の吸湿度を与えることにより前記領域での前記角質層の水和を減少させるステップ
をさらに含む請求項３７記載の方法。
【請求項４６】
前記接着剤の重量で少なくとも約１．５％の前記接着剤層の吸湿度を与えることにより前記領域での前記角質層の水和を減少させるステップ
をさらに含む請求項３７記載の方法。
【請求項４７】
前記接着剤の重量で少なくとも約２％の前記接着剤層の吸湿度を与えることにより前記領域での前記角質層の水和を減少させるステップ
をさらに含む請求項３７記載の方法。
【請求項４８】
前記接着剤の重量で少なくとも約２．５％の前記接着剤層の吸湿度を与えることにより前記領域での前記角質層の水和を減少させるステップ
をさらに含む請求項３７記載の方法。
【請求項４９】
皮膚側および外側を有する薬用層と、
前記薬用層の前記皮膚側に結合された超親水性感圧接着剤層と
を備え皮膚に使用される医療用装置であって、
前記医療用装置は親水コロイド接着剤を備える医療用装置よりも長い皮膚保持時間を与える医療用装置。
【請求項５０】
前記薬用層の前記外側に結合された被覆層
をさらに備える請求項４９記載の医療用装置。
【請求項５１】
前記薬用層の前記外側に結合されたクッション層
をさらに備える請求項４９記載の医療用装置。
【請求項５２】
前記薬用層は角質溶解薬をさらに含む請求項４９記載の医療用装置。
【請求項５３】
前記角質溶解薬はサリチル酸をさらに含む請求項５２記載の医療用装置。
【発明の詳細な説明】
【技術分野】
【０００１】
本発明の例となる実施形態の一部は一般的に様々の種類のクッションまたは薬用絆創膏等、装置の皮膚側に超親水性感圧接着剤を含み指または足に適用される医療用装置に関する。
【背景技術】
【０００２】
小さな装置または物品の装着性能（ｗｅａｒ  ｐｅｒｆｏｒｍａｎｃｅ）は多くの要因によって決まる。これらの要因には、特に、ｉ）装置の体への張り付け箇所、ｉｉ）接着剤と皮膚間の面接触面積、ｉｉｉ）装置の外面の摩擦係数、ｉｖ）でこぼこな皮膚表面周りでの装置の適合性、およびｖ）皮膚からの経表皮水分に対する装置の通気性等がある。
【０００３】
例えば、つま先、足の裏の底側面、足の親指近辺の湾曲した腱膜瘤領域等の一部の特殊な体の部位での小さな装置または物品の装着性能は、でこぼこな皮膚表面、様々な皮膚タイプ、ならびに靴および／または靴下内の足の特に湿った環境等の皮膚周りの湿潤環境のため達成するのが難しい場合がある。
【０００４】
装置の交換時期には、皮膚の治癒箇所に対する損傷を回避するため十分にやさしく装置をはがすことが重要である。さらに、箇所近辺の糸くず、ほこりまたは微生物を捕捉することのできる接着剤の残りが最小限になるよう皮膚からきれいに接着剤を取り除くべきである。
【発明の概要】
【課題を解決するための手段】
【０００５】
本願発明者らは、指または足に使用される装置に対し、改良された接着剤が必要であることを確認した。特に、彼らが認識したところでは、効果的な親水性感圧接着剤が高水蒸気透過率（ＭＶＴＲ：ｍｏｉｓｔｕｒｅ  ｖａｐｏｒ  ｔｒａｎｓｍｉｓｓｉｏｎ  ｒａｔｅ）を与え、同時に、皮膚の最外側層（角質層）の水和と付随する弱化を減らすことによって皮膚接着性とより長い装着時間とを促進する、皮膚からの水分の高吸収能力を与える、経済的で性能のよい装置を提供することが望ましい。
【０００６】
特定の例となる実施形態では、本発明は皮膚側および外側を有するクッション層と、クッション層の皮膚側に結合された超親水性感圧接着剤層とを備える、指、手、つま先または足に使用される医療用クッション装置を提供する。特定の実施形態では、超親水性感圧接着剤層はクッション層に直接接触していてもよい。特定の実施形態では、超親水性ＰＳＡは少なくとも約１５００グラム／ｍ２／２４時間、少なくとも約２０００グラム／ｍ２／２４時間、少なくとも約２５００グラム／ｍ２／２４時間、または少なくとも約３０００グラム／ｍ２／２４時間のＭＶＴＲを有する。さらに、特定の実施形態では、超親水性ＰＳＡは少なくとも約１％、少なくとも約１．５％、少なくとも約２％、および少なくとも約２．５％（全て、接着剤の重量に対するパーセント）の吸水率を有する。特定の実施形態では、超親水性ＰＳＡは少なくとも約１５００グラム／ｍ２／２４時間のＭＶＴＲを有し、装置の接着剤層は少なくとも約１％、少なくとも約１．５％、少なくとも約２％、または少なくとも約２．５％（全て、接着剤の重量に対するパーセント）の吸湿度を有する。特定の実施形態では、超親水性ＰＳＡは少なくとも約２０００グラム／ｍ２／２４時間のＭＶＴＲを有し、装置の接着剤層は少なくとも約１％、少なくとも約１．５％、少なくとも約２％、または少なくとも約２．５％（全て、接着剤の重量に対するパーセント）の吸湿度を有する。特定の実施形態では、超親水性ＰＳＡは少なくとも約２５００グラム／ｍ２／２４時間のＭＶＴＲを有し、装置の接着剤層は少なくとも約１％、少なくとも約１．５％、少なくとも約２％、または少なくとも約２．５％（全て、接着剤の重量に対するパーセント）の吸湿度を有する。特定の実施形態では、超親水性ＰＳＡは少なくとも約３０００グラム／ｍ２／２４時間のＭＶＴＲを有し、装置の接着剤層は少なくとも約１％、少なくとも約１．５％、少なくとも約２％、または少なくとも約２．５％（全て、接着剤の重量に対するパーセント）の吸湿度を有する。特定の実施形態では、接着剤はアクリル系感圧接着剤である。特定の実施形態では、超親水性感熱接着剤はＤＵＲＯ−ＴＡＫ（登録商標）８７−２０２ＡまたはＤＵＲＯ−ＴＡＫ（登録商標）８０−２２２Ａ（Ｎａｔｉｏｎａｌ  Ａｄｈｅｓｉｖｅｓ；Ｎｅｗ  Ｊｅｒｓｅｙ，  ＵＳＡ）である。
【０００７】
特定の実施形態では、クッション装置は、指用クッション、魚の目用クッション、腱膜瘤用クッション、たこ用クッションおよび足底疣贅用クッションの形であってもよい。特定の実施形態では、クッション装置はクッション層の皮膚側に結合された薬用層を有する。特定の実施形態では、薬用層はクッション層と接着剤層との間にあり、薬用層内の薬剤は装置が貼られたときに接着剤層を通過して皮膚に到達するように構成されている。特定の実施形態では、接着剤層はクッション層と薬用層との間にあり、装置が貼られたときに薬用層の外周の外側に広がる接着剤が皮膚に接触するように接着剤層は薬用層の外周の外側に広がる。特定の実施形態では、薬用層はサリチル酸等の角質溶解薬をさらに含む。
【０００８】
特定の実施形態では、クッション層は発泡合成ゴム、綿織布、合成繊維、編地、シリコーンゲルクッション材、ポリウレタンゲルクッション材、ポリウレタンフィルム、ポリ塩化ビニルフィルムおよび／または合成不織布からなってもよい。
【０００９】
本発明はさらに、皮膚側および外側を有する薬用層と、薬用層の皮膚側に結合された超親水性感圧接着剤層とを備える指または足に使用される医療用装置を提供する。
【００１０】
本発明はさらに、角化性病変を含む皮膚の領域にクッション性を与えるクッション手段と、クッション手段に結合しており、角化性病変の治療用薬剤を送達する薬剤手段と、クッション手段および薬剤手段に結合された超親水性感圧接着剤とを備える角化性病変治療用医療用装置を提供する。特定の実施形態では、角化性病変は、例えば魚の目、たこまたは足底疣贅であり得る。特定の実施形態では、クッション層を円盤、帯または包帯状に形成することができる。
【００１１】
本発明はさらに、医療用装置の皮膚側の超親水性感圧接着剤を使用して指または足の皮膚の領域に該装置を貼り付けるステップを含む皮膚病治療方法を提供する。特定の実施形態では、本方法は医療用装置の接着部内の超親水性組成物を使用して医療用装置内の水分を吸収して、この領域での角質層の水和を減少させるステップをさらに含む。特定の実施形態では、本方法は、少なくとも約１５００グラム／ｍ２／２４時間、少なくとも約２０００グラム／ｍ２／２４時間、少なくとも約２５００グラム／ｍ２／２４時間、または少なくとも約３０００グラム／ｍ２／２４時間の、装置の接着剤層を介した平均水蒸気移動を与える。特定の実施形態では、本方法は、少なくとも約１％、少なくとも約１．５％、少なくとも約２％、または少なくとも約２．５％、の装置の接着剤層の吸湿度を与える（全て、接着剤の重量に対するパーセント）。特定の実施形態では、本方法は、少なくとも約１５００グラム／ｍ２／２４時間の、装置の接着剤層を介した平均水蒸気移動を与え、さらに少なくとも約１％、少なくとも約１．５％、少なくとも約２％、または少なくとも約２．５％の、装置の接着剤層の吸湿度を与える（全て、接着剤の重量に対するパーセント）。特定の実施形態では、本方法は、少なくとも約２０００グラム／ｍ２／２４時間の、装置の接着剤層を介した平均水蒸気移動を与え、さらに少なくとも約１％、少なくとも約１．５％、少なくとも約２％、または少なくとも約２．５％の、装置の接着剤層の吸湿度を与える（全て、接着剤の重量に対するパーセント）。特定の実施形態では、本方法は、少なくとも約２５００グラム／ｍ２／２４時間の、装置の接着剤層を介した平均水蒸気移動を与え、さらに少なくとも約１％、少なくとも約１．５％、少なくとも約２％、または少なくとも約２．５％の装置の接着剤層の吸湿度を与える（全て、接着剤の重量に対するパーセント）。特定の実施形態では、本方法は、少なくとも約３０００グラム／ｍ２／２４時間の、装置の接着剤層を介した平均水蒸気移動を与え、さらに少なくとも約１％、少なくとも約１．５％、少なくとも約２％、または少なくとも約２．５％の、装置の接着剤層の吸湿度を与える（全て、接着剤の重量に対するパーセント）。
【００１２】
本発明は、さらに、皮膚側および外側を有する薬用層と、薬用層の皮膚側に結合された超親水性感圧接着剤層とを備えた、例えば手または足等の皮膚に使用される医療用装置を提供し、この医療用装置は親水コロイド接着剤を備える医療用装置よりも長い皮膚保持時間を与える。
【００１３】
本発明のさらなる適用分野は以下で示される例となる実施形態の詳細な説明から明らかになるであろう。当然のことながら、詳細な説明および特定の例は、本発明の例となる実施形態を説明しているが、例示目的のためだけのものであって、本発明の範囲を限定するものではない。
【００１４】
本発明は、例となる実施形態の詳細な説明および添付の図面からさらに十分に理解されるであろう。
【図面の簡単な説明】
【００１５】
【図１ａ】図１ａは、本発明の例となる実施形態に係る指または足に使用されるクッション性医療用装置例の断面図である。
【図１ｂ】図１ｂは、図１のクッション性医療用装置例の接着剤層の別の形状を示す。
【図２】図２は、本発明の例となる実施形態に係る別のクッション装置例の断面図である。
【図３ａ】図３ａは、本発明の例となる実施形態に係る非クッション性医療用絆創膏シートを示す。
【図３ｂ】図３ｂは、図３ａに対応する上面図を示す。
【図４ａ】図４ａは、本発明の例となる実施形態に係るモールスキン（ｍｏｌｅｓｋｉｎ）クッションの図である。
【図４ｂ】図４ｂは、本発明の例となる実施形態に係るモールスキンクッションの図である。
【図５ａ】図５ａは、本発明の例となる実施形態に係る腱膜瘤用クッションの図である。
【図５ｂ】図５ｂは、本発明の例となる実施形態に係る腱膜瘤用クッションの図である。
【図５ｃ】図５ｃは、本発明の例となる実施形態に係る腱膜瘤用クッションの図である。
【図６ａ】図６ａは、本発明の例となる実施形態に係る魚の目／たこ用クッションの図である。
【図６ｂ】図６ｂは、本発明の例となる実施形態に係る魚の目／たこ用クッションの図である。
【図６ｃ】図６ｃは、本発明の例となる実施形態に係る魚の目／たこ用クッションの図である。
【図６ｄ】図６ｄは、本発明の例となる実施形態に係る魚の目／たこ用クッションの図である。
【発明を実施するための形態】
【００１６】
下記に説明される例となる実施形態は本質的に単なる例であり、発明、その適用または使用を限定するものでは決してない。
【００１７】
表皮の最外側層である角質層の細胞は、角質層の脂質成分と共に水分蒸発の速度を遅くして皮膚を水和状態に保つのに役立つ蛋白質であるケラチンを含む。さらに、角質層の細胞は水分を吸収して皮膚水和に役立つことができる。しかしながら、これらの細胞は高水和状態になることもあり、皮膚が長時間水に浸かっていると指やつま先の皮膚がしわになったり、ふやけたりする。
【００１８】
理論に拘束されずに、本願発明者らは皮膚と接着剤との間の接着破壊よりはむしろ、弱くなり水和状態になった皮膚の角質層内の凝集破壊のために、手または足に貼り付けられた装置がはがれ易くなることを観察した。このため、発明者らは皮膚の角質層の水和を減少させることもできる接着剤の適用が有利であると確信する。
【００１９】
本発明の例となる実施形態の一部は手または足に使用されるクッション装置を提供する。クッション装置は、クッションの皮膚側に超親水性な感圧接着剤（ＰＳＡ）を含んでもよい。この接着剤は、一つには角質層の水和を減らすことにより、改善された「くっつき」効果をもたらすことができる。本発明の別の例となる実施形態は、足底疣贅または魚の目を取り除くためのサリチル酸絆創膏等の薬用層の皮膚側に設けられ、同様の改善された「くっつき」効果を持つ超親水性感圧接着剤（ＰＳＡ）を含む、手または足に使用される医療用装置を提供する。本発明の例となる実施形態の一部では、超親水性感圧接着剤の使用が手または足の皮膚の角質層の水和を減らすこともでき、これがひいてはより良い接着性、着け心地の良さ、および／または使用者の快適性をもたらすこともできる。
【００２０】
本発明の別の例となる実施形態は、クッション装置または絆創膏等の、超親水性感圧接着剤を有する医療用装置を適用することにより指または足の角質層の水和を防ぐまたは減少させる方法である。さらに別の例となる実施形態では、本発明は超親水性感圧接着剤を含むクッション装置を適用することにより指または足の病気を治療する方法を提供する。
【００２１】
以前の皮膚接着剤（すなわち、包帯、創傷の被覆等のための）は主に天然ゴム系ＰＳＡ製剤に基づくものであった。その後、皮膚接着剤は粘着付与剤、可塑剤、油等と混ぜ合わされた合成ゴムに基づくものであった。最近になって、ゴム系接着剤は「アクリル」ＰＳＡ（例えば、典型的なものとして２−エチルヘキシルアクリレートおよびアクリレート／メタクリレートモノマー）により広く取って代わられてきた。さらに、アクリルＰＳＡは一般的に紫外線や熱劣化に対してより安定している。しかしながら、アクリルＰＳＡは一般的に高価である。
【００２２】
最近になって、ヒトの皮膚に適用することを目的とする高品質タイプのＰＳＡが認められている。これらはＣｌｉｎｅらの米国特許第６，６５６，４９５号に記載されるような所謂「親水コロイド」ＰＳＡである。これらの親水コロイドＰＳＡは一般的に他のＰＳＡクラスより良い付着装着性能を示す。それらは通常ダイを通すホットメルト押出成形により生成され、約０．０１〜０．０３インチに最少厚さを限定するものであるが、これは溶液からコーティングされた典型的な溶剤系「アクリル」ＰＳＡよりずっと厚い。「親水コロイド」ＰＳＡを作るために使用される厚みはさらに大きく、押出成形工程は比較的遅いため、「親水コロイド」ＰＳＡは典型的な「アクリル」医療グレード皮膚ＰＳＡよりずっと費用効率の低いものとなる。
【００２３】
本発明の例となる実施形態の一部では、超親水性ＰＳＡが使用される。親水性の分子（極性分子とも言う）または分子の一部は電荷分極され、水素結合が可能である。親水性の分子は一般的に油の中よりも水の中の方が容易に溶解または膨張する。本出願に記載される超親水性ＰＳＡは、一般的に粘着力またはその他の粘着性を大幅に下げることなしに従来のアクリルＰＳＡに比べて大幅に向上した水蒸気透過率（ＭＶＴＲ）および吸湿度（本明細書中では「吸湿率」または「保湿能力」とも言う）を有する。別の例となる実施形態では、Ｎａｔｉｏｎａｌ  Ｓｔａｒｃｈ  ＆  Ｃｈｅｍｉｃａｌ社により供給される市販の超親水性のアクリルＰＳＡ（ＤＵＲＯ−ＴＡＫ  ８７−２０２ＡおよびＤＵＲＯ−ＴＡＫ  ８０−２２２Ａ）は３２５０グラム／ｍ２／２４時間のＭＶＴＲと２．６６％ｗ／ｗの吸水率を有する。それに対し、従来の医療グレードアクリルＰＳＡ（ＤＵＲＯ−ＴＡＫ  ８０−１１９７）は１２０７グラム／ｍ２／２４時間のＭＶＴＲと０．８％ｗ／ｗの吸水率を有する。
【００２４】
本発明の例となる実施形態における超親水性ＰＳＡは、粘着力が著しい内部結合力を失うことなしにヒトの角質層の水和レベルを大幅に減少させるものと期待される。超親水性ＰＳＡは従来の医療グレードアクリル皮膚接着剤より約３倍高い高ＭＶＴＲを有する。超親水性ＰＳＡは、さらに、従来の医療グレードアクリル皮膚接着剤の約３倍の高レベルの保湿能力を有する。上述の従来の接着剤は、例えば、初期世代の従来のアクリル系皮膚接着剤である。このため、本発明の特定の例となる実施形態では、親水コロイド接着剤または初期世代の従来のアクリル系皮膚接着剤を備える同様の医療用装置より長い皮膚保持時間をもたらす医療用装置が提供される。本明細書中で使われているように、「皮膚保持時間」とは通常の使用時に医療用装置が皮膚にくっついている時間を言う。特定の実施形態では、皮膚保持時間は少なくとも２４時間、少なくとも４８時間、少なくとも７２時間およびそれ以上の時間になる。
【００２５】
下記の例において適切な超親水性ＰＳＡ接着材料は、上述のＤＵＲＯ−ＴＡＫ（登録商標）８７−２０２ＡおよびＤＵＲＯ−ＴＡＫ（登録商標）８０−２２２Ａの名前でＮａｔｉｏｎａｌ  Ａｄｈｅｓｉｖｅｓ、Ｂｒｉｄｇｅｗａｔｅｒ、ＮＪにより販売される。接着剤は有機溶媒溶液の形で製造者により供給される、アクリル系で自己硬化タイプの感圧接着剤である。当然のことながら、超親水性を示す他のアクリルまたはアクリル−ゴム混成接着剤等の超親水性を示す他の接着剤を使用することもできる。本明細書中で使われているように、「アクリル系感圧接着剤」は本明細書中で「親水コロイド」接着剤として記載されている接着剤を除くアクリル系接着剤のクラスを指す。
【００２６】
特定の例となる実施形態の一部を以下に説明する。本出願では、結合されたという言葉が、単一の成分内に組み込まれた、直接付着された、接着により接合された、または１つまたはそれ以上の成分を介して間接的に機械的に接続された等のいずれかの方法によって接続されたことを意味する。以下に説明する例および図面において、異なる例における同じ要素は同様の参照番号で示し、同様の材料から作製され得、ほぼ同様の機能を持ち得るが異なる実施形態において若干異なる形状および寸法を持つ可能性のある要素はダッシュ記号を用いて示す。クッションは通常、典型的には約０．０４〜０．０５インチの厚さを有する綿織布（時には「モールスキン」とも言う）、典型的には約０．１３〜０．１５インチの厚さを有する発泡合成ゴム（時には「ピーチフォーム（ｐｅａｃｈｆｏａｍ）」と言う）、典型的には約０．０１６〜約０．１２５インチの厚さを有する低密度発泡ポリエチレン、および典型的には約０．０２〜約０．０４インチの厚さを有するポリウレタン成形ゲルの１つまたはそれ以上の層から作製される。
【００２７】
図１ａは本発明の例となる実施形態に係る指または足に使用されるクッション付き医療用装置例の断面図である。装置１０は、例えば、魚の目、たこおよび疣を取り除くために使用することもできる。装置１０は粘着性、水分の吸収および伝達性を持つ材料からなる接着剤層１２を含めてもよい。この点で、層１２の好ましい材料は既述の超親水性接着材料であればよい。魚の目リムーバとして使用される場合、層１２は最大長約１．３７５インチおよび最大幅約０．５０インチの菱形形状を持つこともある。しかしながら、超親水性接着剤層１２は特定の用途によっては異なる形状および寸法をもつこともあり、特定の形状および寸法は本発明に関係しない。超親水性接着剤層１２は靴または他の履物内で見られる環境等の多湿状態においてより良い粘着性を示す。このため、人の皮膚に貼られた場合、超親水性接着剤層１２は人の皮膚にくっつき、人の皮膚の水分が増えても超親水性接着剤層１２はその粘着活性を失わない。拠って、当然のことながら、液体および／または水分の存在下で超親水性層は角質層の浸軟および機械的強度の弱化を妨げるのに役立つはずであり、結果として装置１０の接着剤保持力は従来のアクリルＰＳＡが使用された場合に起こるようには早く減少しない。これは、従来のアクリルＰＳＡを使用するクッションまたは薬用パッドより長い時間、装置１０が人の皮膚に付着するはずであることを意味する。
【００２８】
薬用層１４を接着剤層１２に結合してもよい。薬用層は固体、ゲル、クリームまたは硬膏等の様々な形の活性医療用材料を含んでもよい。角化性皮膚病変の治療用の一例は、約４０重量％のサリチル酸を含むサリチル酸絆創膏製剤となるであろう。別の皮膚パッドはサリチル酸、乳酸、尿素、グリセロール等を含む保湿製剤および／またはメントール、サリチル酸メチル等を含む冷却製剤を含むことがある。図示の例では、薬用層は接着剤層１２と直接接触していてもよく、これは、薬用層に直接塗布されればよい。別の例となる実施形態では、接着剤と薬剤層は別の層を介して間接的に結合されていることもある。さらに別の例となる実施形態では、接着剤層と薬剤層は薬剤と接着剤を両方含む単一の均質層に組み込まれることによって結合されることもある。
【００２９】
装置１０の例では、接着剤層１２は薬用層１４の境界線を越えて広がり、装置１０が貼り付けられるときには完全に皮膚と薬用層との間に存在する。この構成は、薬剤が接着剤層を容易に通過する種類である場合に適している。あるいは、接着剤が特定の薬剤に対して透過性がない場合は、薬剤が図１ｂに示すように接着剤層を通過することができるように、例えば孔または開口を使って離散的に接着剤層を塗布することもできる。この場合、接着剤層に設けられた孔の大きさと数によって、少なくとも部分的に薬剤の薬用層１４からの分散速度を制御することができる。別の例となる実施形態では、例えばクッション層内に溶剤に溶かした薬剤を分散させることによって、クッションと薬剤層を一体化することもある。
【００３０】
製造時または流通時には、装置１０の適用前に接着剤層を完全に覆うことができる、取り外し可能な剥離ライナー１６を装置１０が有してもよい。剥離層はコート紙、ポリエチレンコート紙またはプラスティックフィルム（例えば、ポリエチレンテレフタレート）であり得、これらの全てはシリコーン剥離剤または接着剤層に強く結合しない他の材料の非常に薄い層で被覆されることになるであろう。使用時には、人が剥離ライナー１６の部分を引っ張り上げて剥離ライナー１６から装置１０を取り外す。その後、薬用層を取り除かれる魚の目、たこまたは疣等の治療される皮膚の領域のすぐ上にして、装置１０を人の皮膚に載せる。接着剤層１２はその上で装置１０を固定する機能がある。装置１０を固定する更なる手段を取ることもできる。
【００３１】
装置例は、例えば発泡合成ゴム、綿織布、合成繊維、編地、シリコーンゲルクッション材、ポリウレタンゲルクッション材、ポリウレタンフィルム、ポリ塩化ビニルフィルムまたは合成不織布等であればよいクッション層１８を有することもある。
【００３２】
装置例は、剥離層と反対側の薬剤および接着剤層一面に備えられてもよい障壁層１９を有することもある。特定の用途によっては、障壁層は透湿でも、非透湿でもよい。障壁層は、例えば、水から薬剤を保護することによって、装置に安定性を与えるようになっていればよい。
【００３３】
装置１０の例において、接着剤層１２は薬用層１４の境界線を越えて障壁層１９の外周まで広がり、障壁層の外端が皮膚にしっかりと結合することを保証する。別の例では、様々な層全ての外周を揃えることができるであろう。
【００３４】
図２は本発明の例となる実施形態に係る指または足に使用される別の医療用クッション装置例の断面図である。クッション装置２０の例において、前述の例で示した薬用層１４に組成が似ている薬用層１４’は装置の皮膚側に位置付けられるとよい。親水性接着剤層１２’は薬用層１４’の上および周りに位置付けられるとよい。当然ながら、製造工程によっては、例えば接着剤層の外端を囲むドーナッツ状の接着剤を使用することにより薬用層上方の領域の全部または一部から接着剤を省くこともある。剥離ライナー１６は接着剤層および薬用層両方の皮膚側を覆う。クッション層１８’および外側障壁層１９’を備えてもよく、これは前述の例で説明した相当する層と同様である。
【００３５】
装置２０の例では、超親水性接着剤層１２’の裏側の中央に凹部を設けることもでき、薬用層１４’は凹部の側壁から離れている。そのような場合、薬用層１４’の一部は凹部から超親水性接着剤層１２の下面より低い高さまで広がっていてもよい。
【００３６】
図３ａおよび３ｂは、各々、本発明の例となる実施形態に係る非クッション性医療用絆創膏シートの断面図と上面図を示す。シート３０の例は、剥離ライナー１６に超親水性接着剤層１２”により付着された複数の薬用絆創膏層１４”を含んでもよい。この構成により、複数の絆創膏を長時間にわたって症状の治療用に提供することができる。
【００３７】
図４ａおよび４ｂは本発明の例となる実施形態に係る非薬用クッションを示す。図４ａはモールスキンクッション４０の一例の上面図で、図４ｂはクッション４０の対応の断面図である。図４ａに示すように、クッション例は様々な形に穿孔または打ち抜かれており、使用者が所望の大きさおよび形の一片を容易に切り離すことができるように構成されていてもよい。接着剤層１２”’はクッション層１８”’により被覆されてもよい。当然ながら、例えば水ぶくれや擦傷を防ぐために、または不快感を減少して既に起こった水ぶくれまたは擦傷の治癒を促進するために、モールスキンクッション４０を足または指の特定の領域に適した大きさにさらに切ることができる。別の実施形態では、より小さな事前にカットされたクッションを、円形、正方形、ドーナツ型リング等様々な形のうちのいずれかの形で剥離シート１６上に備えることもできる。当然ながら、クッション例を薬用にして提供してもよい。さらに、当然ながら、例えばクッション性を与える１つ層と、摩擦を減らすためにその上に配置された別のより平滑な層とを使って、多層クッションを提供してもよい。
【００３８】
図５ａ〜５ｃは本発明の例となる実施形態に係る非薬用腱膜瘤用クッションを示す。図５ａと５ｂはクッション５０の対応の底面図および上面図であり、一方図５ｃはクッション５０の断面図を示す。図５ｃに示すように、腱膜瘤用クッション５０の例はドーナッツ状のクッション層１８””を同様の形をした超親水性接着剤層１２””の上に有してもよい。装置を単に覆うまたは付加的なクッション性を有することもある上層５２により、ドーナツ状構造のほとんど（あるいは全体）を覆ってもよい。クッション５０の例を剥離シート１６の上に設けてもよく、例えば複数のクッションを単一のシート上に設ける。
【００３９】
図６ａ〜６ｄは本発明の例となる実施形態に係る魚の目／たこ用絆創膏を示す。同様の装置を別のタイプの角化性病変の治療に使用してもよい。図６ａは絆創膏６０の例の上面図を示し、図６ｂは底面図を示し、図６ｃは断面図を示す。図６ｃに示すように、魚の目用クッション６０を剥離シート１６上に設け、接着剤層１２””’をクッション装置１８””の外周に位置付ける。当然ながら、複数の絆創膏例を単一の剥離シート上に設けてもよい。また、当然ながら、装置６０の例は円板として示されているが、例えば包帯の一部としての四角形の帯等の様々な別の形状で提供されても、または切って成形され得る大きな四角形のシートで提供されてもよい。絆創膏例では、薬用層１４””’がクッション層１８””の中央に位置付けられていてもよい。図６ｄに示す別の構造では、クッション性薬剤層が層６２に組み込まれ、薬剤層から薬剤が周囲の皮膚領域に広がるのを妨げる閉塞性障壁層６４により覆われてもよい。
【００４０】
本発明のさらに別の例となる実施形態は、薬剤を皮膚の上または中に局所的に分散させることができるように指または足の皮膚の領域に上述のクッション装置のいずれかを貼り付けることにより、魚の目、たこおよび足底疣贅等の足または指の角化性病変等の皮膚病を治療する方法である。
【００４１】
本発明の例となる実施形態の一部は、角質溶解薬としてサリチル酸を含み、疣、魚の目およびたこを取り除くための装置に関して説明されてきたが、当然のことながら、他の角質溶解薬、および／または抗生物質製剤、抗菌薬剤、抗真菌薬等の薬剤を使用してもよい。
【００４２】
上述の例となる実施形態で得られる別の利点は、環境に負ける薬剤が少ないことである。これは、超親水性接着剤層と薬用層との組み合わせによるものである。結果として、装置は従来の装置と比べて長時間使用することができ、よりしっかりと持続する。
【００４３】
添付の図面を参照して本発明の特定の好ましい実施形態を説明してきたが、当然のことながら、本発明はそれらの正確な実施形態に限定されず、当業者であれば添付の請求項により定義される本発明の範囲または趣旨から逸脱することなく様々な変更および修正が達成可能である。
【図１Ａ】
2011507620.tif 000003
【図１Ｂ】
2011507620.tif 000004
【図２】
2011507620.tif 000005
【図３Ａ】
2011507620.tif 000006
【図３Ｂ】
2011507620.tif 000007
【図４Ａ】
2011507620.tif 000008
【図４Ｂ】
2011507620.tif 000009
【図５Ａ】
2011507620.tif 000010
【図５Ｂ】
2011507620.tif 000011
【図５Ｃ】
2011507620.tif 000012
【図６Ａ】
2011507620.tif 000013
【図６Ｂ】
2011507620.tif 000014
【図６Ｃ】
2011507620.tif 000015
【図６Ｄ】
2011507620.tif 000016
【手続補正書】
【提出日】平成22年8月17日(2010.8.17)
【手続補正１】
【補正対象書類名】特許請求の範囲
【補正対象項目名】全文
【補正方法】変更
【補正の内容】
【特許請求の範囲】
【請求項１】
皮膚側および外側を有するクッション層と、
前記クッション層の前記皮膚側に結合された超親水性感圧接着剤層と
を備える指または足に使用される医療用クッション装置。
【請求項２】
前記超親水性感圧接着剤層は前記クッション層に直接接触している請求項１記載のクッション装置。
【請求項３】
前記感圧接着剤は少なくとも約１５００グラム／ｍ２／２４時間の透湿性を有する請求項１記載のクッション装置。
【請求項４】
前記感圧接着剤は少なくとも約２０００グラム／ｍ２／２４時間の透湿性を有する請求項１記載のクッション装置。
【請求項５】
前記感圧接着剤は少なくとも約２５００グラム／ｍ２／２４時間の透湿性を有する請求項１記載のクッション装置。
【請求項６】
前記感圧接着剤は少なくとも約３０００グラム／ｍ２／２４時間の透湿性を有する請求項１記載のクッション装置。
【請求項７】
前記感圧接着剤は前記接着剤の重量で少なくとも約１％の吸湿度を有する請求項１記載のクッション装置。
【請求項８】
前記感圧接着剤は前記接着剤の重量で少なくとも約１．５％の吸湿度を有する請求項１記載のクッション装置。
【請求項９】
前記感圧接着剤は前記接着剤の重量で少なくとも約２％の吸湿度を有する請求項１記載のクッション装置。
【請求項１０】
前記感圧接着剤は前記接着剤の重量で少なくとも約２．５％の吸湿度を有する請求項１記載のクッション装置。
【請求項１１】
前記接着剤はアクリル系感圧接着剤である請求項１記載のクッション装置。
【請求項１２】
前記接着剤はアクリル−ゴム混成接着剤である請求項１記載のクッション装置。
【請求項１３】
前記クッション装置は、指用クッション、手用クッション、つま先用クッションおよび足用クッションからなる群から選択される請求項１記載のクッション装置。
【請求項１４】
前記クッション装置は、魚の目用クッション、腱膜瘤用クッション、たこ用クッションおよび足底疣贅用クッションからなる群から選択された足用クッションを備える請求項１３記載のクッション装置。
【請求項１５】
前記クッション層の前記皮膚側に結合された薬用層
をさらに備える請求項１記載のクッション装置。
【請求項１６】
前記薬用層は前記クッション層と前記接着剤層との間にあり、前記薬用層内の薬剤は前記装置が貼り付けられたときに前記接着剤層を通過して前記皮膚に到達するように構成されている請求項１５記載のクッション装置。
【請求項１７】
前記接着剤層は前記クッション層と前記薬用層との間にあり、前記装置が貼り付けられたときに前記薬用層の外周の外側に広がる前記接着剤が前記皮膚に接触するように前記接着剤層は前記薬用層の前記外周の外側に広がる請求項１５記載のクッション装置。
【請求項１８】
前記薬用層は角質溶解薬をさらに含む請求項１５記載のクッション装置。
【請求項１９】
前記角質溶解薬はサリチル酸をさらに含む請求項１８記載のクッション装置。
【請求項２０】
前記超親水性感圧接着剤はＤＵＲＯ−ＴＡＫ（登録商標）８７−２０２Ａである請求項１記載のクッション装置。
【請求項２１】
前記超親水性感圧接着剤はＤＵＲＯ−ＴＡＫ（登録商標）８０−２２２Ａである請求項１記載のクッション装置。
【請求項２２】
前記クッション層は発泡合成ゴム、綿織布、合成繊維、編地、シリコーンゲルクッション材、ポリウレタンゲルクッション材、ポリウレタンフィルム、ポリ塩化ビニルフィルムおよび合成不織布からなる群から選択される請求項１記載の装置。
【請求項２３】
前記薬用層の上方に位置付けられた障壁層をさらに備える請求項１記載の装置。
【請求項２４】
別の材料層が前記クッション層の前記皮膚側に加えられてもよい請求項１記載の装置。
【請求項２５】
皮膚側および外側を有する薬用層と、
前記薬用層の前記皮膚側に結合された超親水性感圧接着剤層と
を備える指、手、つま先または足に使用される医療用装置。
【請求項２６】
前記薬用層の前記外側に結合された被覆層
をさらに備える請求項２５記載の装置。
【請求項２７】
前記薬用層の前記外側に結合されたクッション層
をさらに備える請求項２５記載の医療用装置。
【請求項２８】
前記薬用層は角質溶解薬をさらに含む請求項２５記載の装置。
【請求項２９】
前記角質溶解薬はサリチル酸をさらに含む請求項２８記載のクッション装置。
【請求項３０】
角化性病変治療用医療用装置であって、
前記角化性病変を含む前記皮膚の領域にクッション性を与えるクッション手段と、
前記クッション手段と結合しており、角化性病変の治療用薬剤を送達する薬剤手段と、
前記クッション手段と前記薬剤手段に結合された超親水性感圧接着剤と
を備える角化性病変治療用医療用装置。
【請求項３１】
前記薬剤手段は角質溶解薬をさらに含む請求項３０記載の医療用装置。
【請求項３２】
前記角質溶解薬はサリチル酸をさらに含む請求項３１記載のクッション装置。
【請求項３３】
前記サリチル酸は前記薬剤手段内で薬剤材料の重量で約４０％である請求項３２記載の医療用装置。
【請求項３４】
前記角化性病変は魚の目またはたこである請求項３０記載の医療用装置。
【請求項３５】
前記角化性病変は足底疣贅である請求項３０記載の医療用装置。
【請求項３６】
前記クッション層は円盤、帯または包帯状である請求項３０記載の医療用装置。
【請求項３７】
皮膚病の治療における使用のための請求項１〜２９のいずれか一項に記載のクッション装置。
【請求項３８】
皮膚側および外側を有する薬用層と、
前記薬用層の前記皮膚側に結合された超親水性感圧接着剤層と
を備え皮膚に使用される医療用装置であって、
前記医療用装置は親水コロイド接着剤を備える医療用装置よりも長い皮膚保持時間を与える医療用装置。
【請求項３９】
前記薬用層の前記外側に結合された被覆層
をさらに備える請求項３８記載の医療用装置。
【請求項４０】
前記薬用層の前記外側に結合されたクッション層
をさらに備える請求項３８記載の医療用装置。
【請求項４１】
前記薬用層は角質溶解薬をさらに含む請求項３８記載の医療用装置。
【請求項４２】
前記角質溶解薬はサリチル酸をさらに含む請求項４１記載の医療用装置。
【手続補正２】
【補正対象書類名】明細書
【補正対象項目名】００１４
【補正方法】変更
【補正の内容】
【００１４】
本発明は、例となる実施形態の詳細な説明および添付の図面からさらに十分に理解されるであろう。
本発明は、例えば以下の項目を提供する。
（項目１）
皮膚側および外側を有するクッション層と、
前記クッション層の前記皮膚側に結合された超親水性感圧接着剤層と
を備える指または足に使用される医療用クッション装置。
（項目２）
前記超親水性感圧接着剤層は前記クッション層に直接接触している項目１記載のクッション装置。
（項目３）
前記感圧接着剤は少なくとも約１５００グラム／ｍ２／２４時間の透湿性を有する項目１記載のクッション装置。
（項目４）
前記感圧接着剤は少なくとも約２０００グラム／ｍ２／２４時間の透湿性を有する項目１記載のクッション装置。
（項目５）
前記感圧接着剤は少なくとも約２５００グラム／ｍ２／２４時間の透湿性を有する項目１記載のクッション装置。
（項目６）
前記感圧接着剤は少なくとも約３０００グラム／ｍ２／２４時間の透湿性を有する項目１記載のクッション装置。
（項目７）
前記感圧接着剤は前記接着剤の重量で少なくとも約１％の吸湿度を有する項目１記載のクッション装置。
（項目８）
前記感圧接着剤は前記接着剤の重量で少なくとも約１．５％の吸湿度を有する項目１記載のクッション装置。
（項目９）
前記感圧接着剤は前記接着剤の重量で少なくとも約２％の吸湿度を有する項目１記載のクッション装置。
（項目１０）
前記感圧接着剤は前記接着剤の重量で少なくとも約２．５％の吸湿度を有する項目１記載のクッション装置。
（項目１１）
前記接着剤はアクリル系感圧接着剤である項目１記載のクッション装置。
（項目１２）
前記接着剤はアクリル−ゴム混成接着剤である項目１記載のクッション装置。
（項目１３）
前記クッション装置は、指用クッション、手用クッション、つま先用クッションおよび足用クッションからなる群から選択される項目１記載のクッション装置。
（項目１４）
前記クッション装置は、魚の目用クッション、腱膜瘤用クッション、たこ用クッションおよび足底疣贅用クッションからなる群から選択された足用クッションを備える項目１３記載のクッション装置。
（項目１５）
前記クッション層の前記皮膚側に結合された薬用層
をさらに備える項目１記載のクッション装置。
（項目１６）
前記薬用層は前記クッション層と前記接着剤層との間にあり、前記薬用層内の薬剤は前記装置が貼り付けられたときに前記接着剤層を通過して前記皮膚に到達するように構成されている項目１５記載のクッション装置。
（項目１７）
前記接着剤層は前記クッション層と前記薬用層との間にあり、前記装置が貼り付けられたときに前記薬用層の外周の外側に広がる前記接着剤が前記皮膚に接触するように前記接着剤層は前記薬用層の前記外周の外側に広がる項目１５記載のクッション装置。
（項目１８）
前記薬用層は角質溶解薬をさらに含む項目１５記載のクッション装置。
（項目１９）
前記角質溶解薬はサリチル酸をさらに含む項目１８記載のクッション装置。
（項目２０）
前記超親水性感圧接着剤はＤＵＲＯ−ＴＡＫ（登録商標）８７−２０２Ａである項目１記載のクッション装置。
（項目２１）
前記超親水性感圧接着剤はＤＵＲＯ−ＴＡＫ（登録商標）８０−２２２Ａである項目１記載のクッション装置。
（項目２２）
前記クッション層は発泡合成ゴム、綿織布、合成繊維、編地、シリコーンゲルクッション材、ポリウレタンゲルクッション材、ポリウレタンフィルム、ポリ塩化ビニルフィルムおよび合成不織布からなる群から選択される項目１記載の装置。
（項目２３）
前記薬用層の上方に位置付けられた障壁層をさらに備える項目１記載の装置。
（項目２４）
別の材料層が前記クッション層の前記皮膚側に加えられてもよい項目１記載の装置。
（項目２５）
皮膚側および外側を有する薬用層と、
前記薬用層の前記皮膚側に結合された超親水性感圧接着剤層と
を備える指、手、つま先または足に使用される医療用装置。
（項目２６）
前記薬用層の前記外側に結合された被覆層
をさらに備える項目２５記載の装置。
（項目２７）
前記薬用層の前記外側に結合されたクッション層
をさらに備える項目２５記載の医療用装置。
（項目２８）
前記薬用層は角質溶解薬をさらに含む項目２５記載の装置。
（項目２９）
前記角質溶解薬はサリチル酸をさらに含む項目２８記載のクッション装置。
（項目３０）
角化性病変治療用医療用装置であって、
前記角化性病変を含む前記皮膚の領域にクッション性を与えるクッション手段と、
前記クッション手段と結合しており、角化性病変の治療用薬剤を送達する薬剤手段と、
前記クッション手段と前記薬剤手段に結合された超親水性感圧接着剤と
を備える角化性病変治療用医療用装置。
（項目３１）
前記薬剤手段は角質溶解薬をさらに含む項目３０記載の医療用装置。
（項目３２）
前記角質溶解薬はサリチル酸をさらに含む項目３１記載のクッション装置。
（項目３３）
前記サリチル酸は前記薬剤手段内で薬剤材料の重量で約４０％である項目３２記載の医療用装置。
（項目３４）
前記角化性病変は魚の目またはたこである項目３０記載の医療用装置。
（項目３５）
前記角化性病変は足底疣贅である項目３０記載の医療用装置。
（項目３６）
前記クッション層は円盤、帯または包帯状である項目３０記載の医療用装置。
（項目３７）
医療用装置を該装置の皮膚側にある超親水性感圧接着剤を使用して指または足の皮膚の領域に貼り付けるステップ
を含む皮膚病治療方法。
（項目３８）
前記皮膚病はハイパーケロティック（ｈｙｐｅｒｋｅｒｏｔｉｃ）皮膚状態であり、前記医療用装置は角質溶解薬を含む項目３７記載の方法。
（項目３９）
前記角質溶解薬はサリチル酸である項目３８記載の方法。
（項目４０）
前記医療用装置の前記接着剤部内の超親水性組成物を使用して前記医療用装置内の水分を吸収することによって、前記領域での前記角質層の水和を減少させるステップ
をさらに含む項目３７記載の方法。
（項目４１）
少なくとも１５００グラム／ｍ２／２４時間の、前記装置の前記接着剤層を介した平均水蒸気移動を与えることにより前記領域での前記角質層の水和を減少させるステップ
をさらに含む項目３７記載の方法。
（項目４２）
少なくとも２０００グラム／ｍ２／２４時間の、前記装置の前記接着剤層を介した平均水蒸気移動を与えることにより前記領域での前記角質層の水和を減少させるステップ
をさらに含む項目３７記載の方法。
（項目４３）
少なくとも２５００グラム／ｍ２／２４時間の、前記装置の前記接着剤層を介した平均水蒸気移動を与えることにより前記領域での前記角質層の水和を減少させるステップ
をさらに含む項目３７記載の方法。
（項目４４）
少なくとも３０００グラム／ｍ２／２４時間の、前記装置の前記接着剤層を介した平均水蒸気移動を与えることにより前記領域での前記角質層の水和を減少させるステップ
をさらに含む項目３７記載の方法。
（項目４５）
前記接着剤の重量で少なくとも約１％の前記接着剤層の吸湿度を与えることにより前記領域での前記角質層の水和を減少させるステップ
をさらに含む項目３７記載の方法。
（項目４６）
前記接着剤の重量で少なくとも約１．５％の前記接着剤層の吸湿度を与えることにより前記領域での前記角質層の水和を減少させるステップ
をさらに含む項目３７記載の方法。
（項目４７）
前記接着剤の重量で少なくとも約２％の前記接着剤層の吸湿度を与えることにより前記領域での前記角質層の水和を減少させるステップ
をさらに含む項目３７記載の方法。
（項目４８）
前記接着剤の重量で少なくとも約２．５％の前記接着剤層の吸湿度を与えることにより前記領域での前記角質層の水和を減少させるステップ
をさらに含む項目３７記載の方法。
（項目４９）
皮膚側および外側を有する薬用層と、
前記薬用層の前記皮膚側に結合された超親水性感圧接着剤層と
を備え皮膚に使用される医療用装置であって、
前記医療用装置は親水コロイド接着剤を備える医療用装置よりも長い皮膚保持時間を与える医療用装置。
（項目５０）
前記薬用層の前記外側に結合された被覆層
をさらに備える項目４９記載の医療用装置。
（項目５１）
前記薬用層の前記外側に結合されたクッション層
をさらに備える項目４９記載の医療用装置。
（項目５２）
前記薬用層は角質溶解薬をさらに含む項目４９記載の医療用装置。
（項目５３）
前記角質溶解薬はサリチル酸をさらに含む項目５２記載の医療用装置。
【国際調査報告】
2011507620.tif 000017
2011507620.tif 000018
2011507620.tif 000019
2011507620.tif 000020
2011507620.tif 000021